(57)【要約】【課題】モニタ画面に表示されるプレビュー画像から美肌処理の効果を容易に目視確認することができる印画物作製システム及び印画物作製方法を提供する。【解決手段】印画物作製システムは、顔を撮影し、顔画像データを生成する撮影装置２と、前記顔画像データのデータサイズを変更し、プリント用画像データ及びプレビュー用画像データを生成するリサイズ部２０と、プリント用画像データに対して美肌処理を施す第１画像処理部２１と、前記プレビュー用画像データに対して汚肌処理を施す第２画像処理部２２を備えている。美肌処理が施された前記プリント用画像データに基づいてプリンタ５により印画物がプリントされる。また、汚肌処理が施される前後の前記プレビュー用画像データは、タッチパネル３により表示される。【選択図】図１
2012112989.tif 000002
【特許請求の範囲】
【請求項１】
顔を撮影し、顔画像データを生成する撮影装置と、
前記顔画像データのデータサイズを変更し、プリント用画像データ及びプレビュー用画像データを生成するリサイズ部と、
前記プリント用画像データに対して画像処理を施す第１画像処理部と、
前記プレビュー用画像データに対して画像処理を施す第２画像処理部と、
前記第１画像処理部による画像処理が施された前記プリント用画像データに基づいて印画物をプリントするプリンタと、
前記第２画像処理部による画像処理が施された前記プレビュー用画像データ及び前記第２画像処理部による画像処理前の前記プレビュー用画像データを表示する表示部と、
を備え、
前記第１画像処理部は、前記プリント用画像データに対して美肌処理を施し、前記第２画像処理部は、前記プレビュー用画像データに対して汚肌処理を施すことを特徴とする印画物作製システム。
【請求項２】
前記プレビュー用画像データに対して美肌処理を施す第３画像処理部をさらに備え、
前記表示部は、前記第２画像処理部により汚肌処理が施された前記プレビュー用画像データと、前記第３画像処理部により美肌処理が施された前記プレビュー用画像データとを表示することを特徴とする請求項１に記載の印画物作製システム。
【請求項３】
前記第２画像処理部は、前記プレビュー用画像データにおける顔部分の肌領域を抽出し、前記肌領域に対してシャープネス強調処理を施すことを特徴とする請求項１又は２に記載の印画物作製システム。
【請求項４】
前記第２画像処理部は、前記プレビュー用画像データにおける顔部分の肌領域を抽出し、前記肌領域に対してノイズパターンを合成することを特徴とする請求項１乃至３のいずれかに記載の印画物作製システム。
【請求項５】
顔を撮影し、顔画像データを生成する工程と、
前記顔画像データのデータサイズを変更し、プリント用画像データ及びプレビュー用画像データを生成する工程と、
前記プリント用画像データに対して美肌処理を施す工程と、
前記プレビュー用画像データに対して汚肌処理を施す工程と、
前記汚肌処理が施された前記プレビュー用画像データ及び前記汚肌処理が施される前の前記プレビュー用画像データを表示する工程と、
前記美肌処理が施された前記プリント用画像データに基づいて印画物をプリントする工程と、
を備える印画物作製方法。
【請求項６】
前記プレビュー用画像データに対して美肌処理を施す工程をさらに備え、
前記プレビュー用画像データを表示する工程では、前記汚肌処理が施された前記プレビュー用画像データ及び前記美肌処理が施された前記プレビュー用画像データを表示することを特徴とする請求項５に記載の印画物作製方法。
【請求項７】
前記汚肌処理は、前記プレビュー用画像データにおける顔部分から抽出した肌領域に対するシャープネス強調処理を含むことを特徴とする請求項５又は６に記載の印画物作製方法。
【請求項８】
前記汚肌処理は、前記プレビュー用画像データにおける顔部分から抽出した肌領域に対するノイズパターンの合成を含むことを特徴とする請求項５乃至７のいずれかに記載の印画物作製方法。
【発明の詳細な説明】
【技術分野】
【０００１】
本発明は、顔画像が印画された印画物を作製する印画物作製システム及び印画物作製方法に関する。
【背景技術】
【０００２】
従来、免許証、パスポート、履歴書等に貼付するための証明写真等を撮影するためのボックス型の写真撮影装置が知られている。写真撮影装置は、撮影した顔画像の倍率を変えて縮小（リサイズ）し、用途に応じた様々なサイズの写真をプリントして出力する。写真撮影装置には、顔画像を表示するモニタが設けられており、写真印画される顔画像を事前に確認（プレビュー）することができる。
【０００３】
また、最近では、特に女性向きの付加価値機能として、顔（肌）の細かい凹凸やブツブツ感を軽減し、すべすべした質感に加工する「美肌処理」機能を有する写真撮影装置が知られている。
【０００４】
美肌処理では、例えば、顔の輪郭や、髪の毛、目、鼻、口等の輪郭部分のシャープネスを保持しつつ、顔の肌部分において、シミ、シワ等を除去・軽減したり、凹凸感を軽減してなめらかに見せたりするスムージング処理が行われる（例えば特許文献１、２参照）。
【０００５】
従来は、プレビュー用に縮小した顔画像データに、美肌処理を施した美肌サンプルプレビュー画像と、美肌処理を施していない通常サンプルプレビュー画像とをモニタに表示して、ユーザが、美肌処理を施すことの効果を確認できるようにしていた。しかし、顔画像データをプレビュー用に縮小し、表示解像力の低いモニタ画面に表示すると、細かい部分の表現力（描写性）が低下する。これは美肌処理を施すことと同等の効果をもたらす。そのため、モニタ画面に表示される通常サンプルプレビュー画像と美肌サンプルプレビュー画像との差が小さくなり、美肌処理の効果を目視確認することが困難になるという問題があった。
【先行技術文献】
【特許文献】
【０００６】
【特許文献１】特開２００５−２７６１８２号公報
【特許文献２】特開２００６−６０８４１号公報
【発明の概要】
【発明が解決しようとする課題】
【０００７】
本発明は、モニタ画面に表示されるプレビュー画像から美肌処理の効果を容易に目視確認することができる印画物作製システム及び印画物作製方法を提供することを目的とする。
【課題を解決するための手段】
【０００８】
本発明による印画物作製システムは、顔を撮影し、顔画像データを生成する撮影装置と、前記顔画像データのデータサイズを変更し、プリント用画像データ及びプレビュー用画像データを生成するリサイズ部と、前記プリント用画像データに対して画像処理を施す第１画像処理部と、前記プレビュー用画像データに対して画像処理を施す第２画像処理部と、前記第１画像処理部による画像処理が施された前記プリント用画像データに基づいて印画物をプリントするプリンタと、前記第２画像処理部による画像処理が施された前記プレビュー用画像データ及び前記第２画像処理部による画像処理前の前記プレビュー用画像データを表示する表示部と、を備え、前記第１画像処理部は、前記プリント用画像データに対して美肌処理を施し、前記第２画像処理部は、前記プレビュー用画像データに対して汚肌処理を施すものである。
【０００９】
本発明による印画物作製システムにおいては、前記プレビュー用画像データに対して美肌処理を施す第３画像処理部をさらに備え、前記表示部は、前記第２画像処理部により汚肌処理が施された前記プレビュー用画像データと、前記第３画像処理部により美肌処理が施された前記プレビュー用画像データとを表示するものである。
【００１０】
本発明による印画物作製システムにおいては、前記第２画像処理部は、前記プレビュー用画像データにおける顔部分の肌領域を抽出し、前記肌領域に対してシャープネス強調処理を施すものである。
【００１１】
本発明による印画物作製システムにおいては、前記第２画像処理部は、前記プレビュー用画像データにおける顔部分の肌領域を抽出し、前記肌領域に対してノイズパターンを合成するものである。
【００１２】
本発明による印画物作製方法は、顔を撮影し、顔画像データを生成する工程と、前記顔画像データのデータサイズを変更し、プリント用画像データ及びプレビュー用画像データを生成する工程と、前記プリント用画像データに対して美肌処理を施す工程と、前記プレビュー用画像データに対して汚肌処理を施す工程と、前記汚肌処理が施された前記プレビュー用画像データ及び前記汚肌処理が施される前の前記プレビュー用画像データを表示する工程と、前記美肌処理が施された前記プリント用画像データに基づいて印画物をプリントする工程と、を備えるものである。
【００１３】
本発明による印画物作製方法においては、前記プレビュー用画像データに対して美肌処理を施す工程をさらに備え、前記プレビュー用画像データを表示する工程では、前記汚肌処理が施された前記プレビュー用画像データ及び前記美肌処理が施された前記プレビュー用画像データを表示するものである。
【００１４】
本発明による印画物作製方法においては、前記汚肌処理は、前記プレビュー用画像データにおける顔部分から抽出した肌領域に対するシャープネス強調処理を含むものである。
【００１５】
本発明による印画物作製方法においては、前記汚肌処理は、前記プレビュー用画像データにおける顔部分から抽出した肌領域に対するノイズパターンの合成を含むものである。
【発明の効果】
【００１６】
本発明によれば、美肌処理を施していない通常サンプルプレビュー画像として、プレビュー用画像に汚肌処理を施したものをモニタ画面に表示し、通常サンプルプレビュー画像と美肌サンプルプレビュー画像との差を大きくするため、モニタ画面に表示されるプレビュー画像から美肌処理の効果を容易に目視確認することができる。
【図面の簡単な説明】
【００１７】
【図１】本発明の実施形態に係る印画物作製システムの概略構成図である。
【図２】同実施形態に係る演算制御装置のハードウェア構成図である。
【図３】同実施形態に係る画像処理プログラムを実行することで実現される機能ブロック図である。
【図４】タッチパネルの表示画面の一例を示す図である。
【図５】タッチパネルの表示画面の一例を示す図である。
【図６】タッチパネルの表示画面の一例を示す図である。
【図７】同実施形態に係る印画物作製方法を説明するフローチャートである。
【図８】変形例による画像処理プログラムを実行することで実現される機能ブロック図である。
【発明を実施するための形態】
【００１８】
本発明の実施の形態
以下、本発明の実施の形態を図面に基づいて説明する。
【００１９】
図１に本実施形態に係る印画物作製システムの概略構成を示す。印画物作製システムは、被撮影者Ｐの顔を撮影し、顔画像データを生成する撮影装置２と、この顔画像データに対して画像処理を施す演算制御装置１と、印画物（写真）をプリントするプリンタ５と、撮影装置２が被撮影者Ｐの顔を撮影する際に被撮影者Ｐに光を照射するストロボ６と、を備える。撮影装置２は、例えばデジタルカメラであり、レンズ、シャッタ、ＣＭＯＳセンサ、Ａ／Ｄ変換器等を有する。撮影装置２が被撮影者Ｐの顔を撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、顔画像データを生成する。撮影装置２は、顔画像データを演算制御装置１へ出力する。
【００２０】
また、印画物作製システムは、被撮影者Ｐから各種指示を受け付けると共に、プレビュー画像を表示するタッチパネル（指示受付部及び表示部）３を備えている。
【００２１】
タッチパネル３は、操作ボタンを表示し、操作ボタンが押されると、その操作ボタンに対応した操作指示を受け付ける。例えば、タッチパネル３は、ユーザ（被撮影者Ｐ）から、プリンタ５が印画物にプリントする画像サイズ（写真サイズ）の指示を受け付ける。写真サイズは、例えば、運転免許証、パスポート、ビザ等に対応するものである。また、写真サイズのカスタマイズができるようになっていてもよい。また、タッチパネル３は、ユーザからプリンタ５のプリント開始指示を受け付けることができる。
【００２２】
さらに、印画物作製システムには、被撮影者Ｐが印画物の代金として支払う貨幣を受け入れたり、釣銭を払い出したりする課金部（図示せず）が設けられている。
【００２３】
演算制御装置１は、撮影装置２、タッチパネル３、プリンタ５、ストロボ６、及び課金部に接続されており、各部の制御やデータの受け渡しを行う。
【００２４】
図２に、演算制御装置１のハードウェア構成を示す。演算制御装置１は、ＣＰＵ（中央演算処理部）１１、メインメモリ１２、ディスク装置１３、及び入出力部１４を有する。演算制御装置１の各部はバス１５を介して接続されている。
【００２５】
ディスク装置１３は、ＣＰＵ１１により実行される画像処理プログラム１６を格納する。ディスク装置１３は例えばハードディスクドライブである。なお、画像処理プログラム１６は、ディスク装置１３でなく、ＲＯＭや磁気テープ（共に図示せず）に格納されていてもよい。
【００２６】
ＣＰＵ１１は、ディスク装置１３内の画像処理プログラム１６をメインメモリ１２にロードして、画像処理プログラム１６を実行する。画像処理プログラム１６の実行に伴い、メインメモリ１２上には、顔画像データ、プレビュー用画像データ、及びプリント用画像データを格納する領域が確保される。プレビュー用画像データは、タッチパネル３にプレビュー画像として表示される画像データであり、プリント用画像データは、プリンタ５によりプリントされる画像データである。
【００２７】
図３に、ＣＰＵ１１が画像処理プログラム１６を実行することで実現される機能ブロック図を示す。画像処理プログラム１６の実行により、リサイズ部２０、第１画像処理部２１、第２画像処理部２２、及び第３画像処理部２３が実現される。
【００２８】
リサイズ部２０は、撮影装置２により生成された顔画像データを、プリンタ５でプリントする写真サイズに対応したサイズに縮小し、プリント用画像データを生成する。例えば、縦、横の画素を均等に間引くことで画像を縮小することができる。プリンタ５でプリントされる写真サイズは、タッチパネル３を介して指示される。
【００２９】
また、リサイズ部２０は、撮影装置２から受け取った顔画像データをタッチパネル３でのプレビュー表示に対応したサイズに縮小し、プレビュー用画像データを生成する。タッチパネル３での表示サイズはあらかじめ決められていてもよいし、タッチパネル３を介して指示できるようにしてもよい。
【００３０】
一般に、撮影装置２によって生成される顔画像データのサイズは、プリントサイズやプレビューサイズと比較して大きいため、リサイズ部２０は縮小処理を行うことが多いが、拡大処理を行ってもよい。例えば、画素を補間することで画像を拡大することができる。
【００３１】
第１画像処理部２１は、プリント用画像データに対して画像処理を施す。ここで施される画像処理は、顔（肌）の細かい凹凸やブツブツ感を軽減し、すべすべした質感に加工したり、シワやシミ等の美観を損なう不要部分を軽減したりする、いわゆる美肌処理である。第１画像処理部２１は、顔画像の肌領域を抽出し、この肌領域に美肌処理を施す。
【００３２】
肌領域の抽出処理の一例について説明する。まず、顔画像の両目の下方領域、より厳密には、鼻の両脇の輪郭を跨ぎ、かつ、髪、目、鼻孔にはかからない領域を参照領域と定義する。そして、この参照領域内に含まれる各画素の画素値の平均を平均画素値として求め、プリント用画像全体を構成する各画素の中から、この平均画素値に対する色差が所定範囲内の画素値をもつ画素を抽出する。抽出された画素の集合からなる領域が肌領域となる。
【００３３】
美肌処理は、画像処理の技術分野で公知の技術であり、ここでは第１画像処理部２１が行い得る美肌処理の例について説明する。例えば、所定のソフトフォーカス効果を示すフィルタやローパスフィルタ等によるフィルタ処理を画像に施すことで、細かい凹凸やブツブツ感、シワやシミ等を軽減することができる。また、肌領域の彩度を上げることで、くすみなどを軽減することができる。
【００３４】
美肌処理の際に使用するフィルタや彩度の補正レベル（上げ幅）についての情報は、ディスク装置１３に記憶されている。第１画像処理部２１は、ディスク装置１３からフィルタや彩度の補正レベル（上げ幅）についての情報を読み出して、美肌処理を実行する。なお、この情報は、画像処理プログラム１６の実行時に、メインメモリ１２にロードするようにしてもよい。
【００３５】
第１画像処理部２１により美肌処理が施されたプリント用画像データはメインメモリ１２に記憶され、入出力部１４を介して、プリンタ５へ出力される。
【００３６】
第２画像処理部２２は、プレビュー用画像データに対して画像処理を施す。ここで施される画像処理は、顔（肌）の細かい凹凸やブツブツ感を増加させ、ざらざらした質感に加工したり、シワやシミ等の美観を損なう不要部分を増加させたりする、汚肌処理である。第２画像処理部２２は、顔画像の肌領域を抽出し、この肌領域に汚肌処理を施す。肌領域の抽出処理は上述した手法と同様である。
【００３７】
汚肌処理では、例えば、抽出された肌領域に対してシャープネス強調処理が施され、凹凸やブツブツ感が増加させられる。また、例えば、汚肌処理では、抽出された肌領域に対して凹凸やブツブツ感を模したノイズパターンが合成される。
【００３８】
汚肌処理の処理内容はディスク装置１３に記憶されている。第２画像処理部２２は、ディスク装置１３から汚肌処理の処理内容を読み出して、汚肌処理を実行する。なお、汚肌処理の処理内容は、画像処理プログラム１６の実行時に、メインメモリ１２にロードするようにしてもよい。第２画像処理部２２により汚肌処理が施されたプレビュー用画像データはメインメモリ１２に記憶され、入出力部１４を介してタッチパネル３へ出力される。
【００３９】
第３画像処理部２３は、プレビュー用画像データに対して画像処理を施す。ここで施される画像処理は、上述した美肌処理と同じである。第３画像処理部２３は、顔画像の肌領域を抽出し、美肌処理の処理内容をディスク装置１３（又はメインメモリ１２）から読み出して、この肌領域に美肌処理を施す。第３画像処理部２３により美肌処理が施されたプレビュー用画像データはメインメモリ１２に記憶され、入出力部１４を介してタッチパネル３へ出力される。
【００４０】
タッチパネル３は、演算制御装置１から汚肌処理が施されたプレビュー用画像データ及び美肌処理が施されたプレビュー用画像データを受け取り、色変換やシャープネス処理を行い、画面に表示する。
【００４１】
タッチパネル３は、図４に示すように、美肌処理前の画像（汚肌処理が施された画像）と、美肌処理が施された画像とを並べて表示する。
【００４２】
プレビュー用画像データは、リサイズ部２０における縮小処理によりサイズが小さくなっているため、細かい部分の表現力（描写性）が減少する。さらに、表示解像力の低いタッチパネル３の画面に表示されることで、細かい部分の表現力はさらに減少する。これは、美肌処理を施すことと同等の効果をもたらす。そのため、リサイズ部２０により生成されたプレビュー用画像データをそのまま美肌処理を施していないプレビュー画像としてタッチパネル３に表示した場合、美肌処理後のプレビュー画像と比較して、美肌処理の有無の違いをユーザに認識させることが困難になる。
【００４３】
しかし、本実施形態では、美肌処理前のプレビュー画像として、汚肌処理を施したプレビュー用画像データを用いるため、美肌処理後のプレビュー画像との差が大きくなり、タッチパネル３の画面上においても、美肌処理の有無の違いをユーザに容易に認識させることができる。
【００４４】
なお、図４に示すように、タッチパネル３は、各プレビュー画像の下に、プリント実行ボタン３１、３２を表示する。ユーザが、美肌処理が施されていないプレビュー画像（汚肌処理が施されたプレビュー画像）に対応するプリント実行ボタン３１を押すことで、美肌処理が施されていないプリント用画像データが、演算制御装置１からプリンタ５へ出力される。一方、ユーザが、美肌処理が施されたプレビュー画像に対応するプリント実行ボタン３２を押すことで、美肌処理が施されたプリント用画像データが、演算制御装置１からプリンタ５へ出力される。
【００４５】
タッチパネル３でのプレビュー画像の表示形式は図４に示すものに限定されない。例えば、図５に示すように、美肌処理画像プレビューボタン４１及び通常画像プレビューボタン４２を表示し、美肌処理画像プレビューボタン４１が押されると美肌処理後のプレビュー画像を表示し、通常画像プレビューボタン４２が押されると美肌処理が施されていないプレビュー画像（実際には汚肌処理が施されたプレビュー画像）を表示するようにしてもよい。
【００４６】
また、図６に示すように、切替ボタン５１を表示し、切替ボタン５１が押される度に、美肌処理が施されていないプレビュー画像（実際には汚肌処理が施されたプレビュー画像）と美肌処理後のプレビュー画像とを切り替えて表示するようにしてもよい。
【００４７】
プリンタ５は、演算制御装置１から受け取ったプリント用画像データに対して、色変換やシャープネス処理を行う。そして、プリンタ５は、被撮影者Ｐの撮影画像を用紙に印画して出力する。プリンタ５のプリント方式は特に限定されず、インクジェット方式、昇華型熱転写方式、溶融型熱転写方式等を用いることができる。
【００４８】
次に、このような印画物作製システムを用いた印画物作製方法を図７に示すフローチャートを用いて説明する。
【００４９】
（ステップＳ１０１）タッチパネル３が、印画する写真サイズの指示を受け付ける。
【００５０】
（ステップＳ１０２）撮影装置２が、被撮影者Ｐ（ユーザ）を撮影し、顔画像データを生成する。撮影装置２が撮影を行う際に、ストロボ６が被撮影者Ｐに光を照射する。
【００５１】
（ステップＳ１０３）リサイズ部２０が、顔画像データのリサイズ処理を行い、プリント用画像データ及びプレビュー用画像データを生成する。具体的には、ステップＳ１０１で指示された写真サイズに基づいて顔画像データをリサイズし、プリント用画像データを生成する。また、タッチパネル３でのプレビュー表示に合わせて顔画像データをリサイズし、プレビュー用画像データを生成する。
【００５２】
（ステップＳ１０４）第１画像処理部２１が、プリント用画像データに対して美肌処理を施す。また、第２画像処理部２２が、プレビュー用画像データに対して汚肌処理を施し、第３画像処理部２３がプレビュー用画像データに対して美肌処理を施す。
【００５３】
（ステップＳ１０５）タッチパネル３が、美肌処理の施されたプレビュー用画像データと、汚肌処理の施されたプレビュー用画像データとを、並べて又は切り替えて表示する。
【００５４】
ステップＳ１０３におけるプレビュー用画像データ作成の際のリサイズ（縮小）や、タッチパネル３での表示は、細かい部分の表現力（描写性）を低下させ、美肌処理を施すことと同様の効果をもたらす。しかし、ステップＳ１０４において、美肌処理を施さないプレビュー用画像データには汚肌処理を施しているため、美肌処理を施したプレビュー用画像データとの差（違い）が大きくなり、モニタ画面上に表示される２つのプレビュー画像の違いが明確になる。そのため、ユーザは、美肌処理の効果を容易に目視確認できる。
【００５５】
（ステップＳ１０６）ユーザが、タッチパネル３に表示されたプレビュー画像から顔画像に美肌処理を施すか否か決定する。美肌処理を施す場合はステップＳ１０７に進み、美肌処理を施さない場合はステップＳ１０８に進む。
【００５６】
（ステップＳ１０７）ユーザが、タッチパネル３に表示された、美肌処理が施されたプレビュー画像に対応するプリント実行ボタン３２を押す。これにより、演算制御装置１は、美肌処理が施されたプリント用画像データをプリンタ５へ出力する。
【００５７】
（ステップＳ１０８）ユーザが、タッチパネル３に表示された、美肌処理が施されていない（汚肌処理が施された）プレビュー画像に対応するプリント実行ボタン３１を押す。これにより、演算制御装置１は、美肌処理が施されていないプリント用画像データをプリンタ５へ出力する。
【００５８】
（ステップＳ１０９）プリンタ５が、演算制御装置１から受け取ったプリント用画像データをプリントして出力する。
【００５９】
このように、本実施形態によれば、タッチパネル３の画面に、汚肌処理を施したプレビュー用画像データを美肌処理前のプレビュー画像として表示することで、美肌処理後のプレビュー画像との違いが明確になり、ユーザは、モニタ画面に表示されるプレビュー画像から美肌処理の効果を容易に目視確認することができる。
【００６０】
上記実施形態では、タッチパネル３が、ユーザからの操作指示の受け付け及びプレビュー画像の表示を行っていたが、ユーザからの操作指示の受け付ける指示受付部と、プレビュー画像の表示を行う表示部とを別々に設けてもよい。
【００６１】
また、ＣＰＵ１１をマルチコアプロセッサで構成し、プリント用画像データに対する美肌処理、プレビュー用画像データに対する汚肌処理、美肌処理を並列に実行するようにしてもよい。
【００６２】
また、撮影装置２が、被撮影者Ｐを１回又は複数回撮影して、複数の顔画像データをタッチパネル３に表示し、ユーザが表示された画像を確認した上で、どの画像を印画するか選択できるようにしてもよい。この場合、選択された画像に対してリサイズ処理、美肌処理、汚肌処理が施される。また、撮り直しができるようにしてもよい。
【００６３】
上記実施形態において、リサイズ部２０は、顔画像データから、プリント用画像データ及びプレビュー用画像データを生成していたが、顔画像データからプレビュー用画像データを生成し、このプレビュー用画像データからプリント用画像データを生成するようにしてもよい。
【００６４】
本発明の実施の形態の変形例
図８に、ＣＰＵ１１が画像処理プログラム１６を実行することで実現される機能ブロック図の変形例を示す。この変形例では、第３画像処理部２３が省略され、リサイズ部２０により生成されたプレビュー用画像データがタッチパネル３へ出力されるようになっており、他の構成は、図１に示す実施の形態と同様である。図８において、図３に示す実施の形態と同一部分には同一符号を付して説明を省略する。
【００６５】
この変形例は、上記実施形態のように第３画像処理部２３が美肌処理を施すのではなく、タッチパネル３の（表示解像力の低い）モニタ画面に表示することでもたらされる美肌処理と同等の効果を用いるものである。
【００６６】
リサイズ部２０が生成したプレビュー用画像データをタッチパネル３に表示したものと、美肌処理が施されたプリント用画像データに基づいてプリンタ５から出力される印画物（写真）との見た目が同等である場合は、上記実施形態のようなプレビュー用画像データに対する第３画像処理部２３による美肌処理は不要となる。そのような場合、タッチパネル３は、美肌処理後のプレビュー画像として、実際には美肌処理を施していないプレビュー用画像データを表示すればよく、第３画像処理部２３の機能を省略することができる。
【００６７】
このような構成によっても上記実施形態と同様に、汚肌処理を施したプレビュー用画像データを美肌処理前のプレビュー画像として表示しているため、ユーザは、モニタ画面に表示されるプレビュー画像から美肌処理の効果を容易に目視確認することができる。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１  演算制御装置
２  撮影装置
３  タッチパネル
５  プリンタ
６  ストロボ
１１  ＣＰＵ
１２  メインメモリ
１３  ディスク装置
１４  入出力部
１５  バス
２０  リサイズ部
２１  第１画像処理部
２２  第２画像処理部
２３  第３画像処理部
【図１】
2012112989.tif 000003
【図２】
2012112989.tif 000004
【図３】
2012112989.tif 000005
【図４】
2012112989.tif 000006
【図５】
2012112989.tif 000007
【図６】
2012112989.tif 000008
【図７】
2012112989.tif 000009
【図８】
2012112989.tif 000010